(57)【要約】【課題】複数のユーザで情報取得装置を共有して使用する場合に、ユーザ毎のアクセス権を柔軟に設定でき且つ該アクセス権に対応して記憶媒体における記憶容量の使用権限を設定可能とし、より適切な記憶媒体の使用を可能とする情報取得装置及びカメラを提供すること。【解決手段】データを記憶する記憶媒体部６と、上記記憶媒体部６における記憶可能領域を検出し、当該撮像装置１００のユーザを認証し、上記認証したユーザの優先度を判定し、上記記憶可能領域が所定値より小さくなった場合、上記記憶媒体部６を検索して、当該時点におけるユーザよりも優先度の低いユーザにより記憶されたデータを検出し、上記検出したデータのうち少なくとも１つのデータを処理して上記記憶媒体部６に所定の記憶可能領域を設ける処理を行うＣＰＵ１と、を具備する撮像装置１００。【選択図】      図２
2009177498.tif 000002
【特許請求の範囲】
【請求項１】
複数のユーザにより共有されて使用される情報取得装置であって、
所定のデータを取得する情報取得部と、
上記データを記憶する記憶部と、
上記記憶部における記憶可能領域を検出する記憶可能領域検出部と、
上記ユーザを認証する認証部と、
上記認証部により認証したユーザの優先度を判定する優先度判定部と、
上記記憶可能領域検出部により検出された上記記憶部の空き容量が所定値より小さくなった場合、上記記憶部を検索して、当該時点におけるユーザよりも優先度の低いユーザにより記憶されたデータを検出する低優先度データ検索部と、
上記低優先度データ検索部により検出されたデータのうち少なくとも１つのデータを処理して上記記憶部に所定の記憶可能領域を設けるデータ処理部と、
を具備することを特徴とする情報取得装置。
【請求項２】
上記データ処理部は、上記低優先度データ検索部により検出されたデータを削除する処理を行うことを特徴とする請求項１に記載の情報取得装置。
【請求項３】
上記データ処理部は、上記低優先度データ検索部により検出されたデータを圧縮処理することを特徴とする請求項１に記載の情報取得装置。
【請求項４】
上記ユーザ毎に、当該情報取得装置の使用時の設定を記憶するユーザ管理データベースを含み、
上記情報取得部は、上記ユーザ管理データベースに記憶された設定で、上記所定の情報を取得することを特徴とする請求項１乃至３のうち何れか一つに記載の情報取得装置。
【請求項５】
上記ユーザ管理データベースは、上記ユーザを認証する為の認証情報及び上記ユーザの優先度を示す優先度情報を記憶しており、
上記認証部は、上記認証情報に基づいて上記ユーザを認証し、
上記優先度判定部は、上記ユーザ管理データベースに記憶された優先度情報に基づいて上記ユーザの優先度を判定することを特徴とする請求項４に記載の情報取得装置。
【請求項６】
上記ユーザによる当該情報取得装置への情報入力操作の為の入力操作部を含み、
上記ユーザによる上記入力操作部の操作で入力された入力情報を、上記ユーザ管理データベースに記憶することを特徴とする請求項５に記載の情報取得装置。
【請求項７】
上記認証情報及び上記優先度情報が記憶された認証カードを装着する為のインターフェイスと、
上記インターフェイスに装着された上記認証カードに記憶された上記認証情報及び上記優先度情報を読み出すカード情報読み出し部と、
を含み、
上記認証部は、上記カード情報読み出し部により読み出された上記認証情報に基づいてユーザを認証し、
上記優先度判定部は、上記カード情報読み出し部により読み出された上記優先度情報に基づいて上記ユーザの優先度を判定することを特徴とする請求項６に記載の情報取得装置。
【請求項８】
上記圧縮処理部は、当該時点におけるユーザの優先度と、圧縮対象のデータを上記記憶部に記憶したユーザの優先度と、に基づいて圧縮率を決定し、上記圧縮処理を行うことを特徴とする請求項７に記載の情報取得装置。
【請求項９】
上記認証情報が記憶されているデータベースを備え且つ上記認証情報に基づいて上記ユーザの認証及び上記優先度情報の検索を行う外部装置と無線により情報を送受信する通信部を含み、
上記通信部は、上記ユーザによる上記入力操作部の操作で入力された上記入力情報を上記外部装置に送信し、且つ上記外部装置から送信される上記ユーザの認証結果を示す情報及び上記優先度情報を受信することを特徴とする請求項８に記載の情報取得装置。
【請求項１０】
複数のユーザにより共有されて使用されるカメラであって、
被写体を撮影して画像データに変換する撮影部と、
上記撮影部による撮影で取得した画像データを圧縮処理する圧縮処理部と、
上記圧縮処理部により圧縮処理された画像データを記憶する記憶部と、
上記記憶部における記憶可能領域を検出する記憶可能領域検出部と、
上記ユーザを認証する認証部と、
上記認証部により認証されたユーザの優先度を判定する優先度判定部と、
上記記憶可能領域検出部により検出された上記記憶部の空き容量が所定値より小さくなった場合、上記記憶部を検索して、当該時点におけるユーザよりも優先度の低いユーザにより記憶された画像データを検出する低優先度データ検索部と、
上記低優先度データ検索部により検出された画像データのうち少なくとも１つの画像データを処理して上記記憶部に所定の記憶可能領域を設けるデータ処理部と、
を具備することを特徴とするカメラ。
【請求項１１】
上記データ処理部は、上記低優先度データ検索部により検出された画像データを削除する処理を行うことを特徴とする請求項１０に記載のカメラ。
【請求項１２】
上記データ処理部は、上記低優先度データ検索部により検出された画像データを、上記圧縮処理部により再圧縮処理することを特徴とする請求項１１に記載のカメラ。
【請求項１３】
上記ユーザ毎に、当該カメラの使用時の設定を記憶するユーザ管理データベースを含み、
上記撮影部は、上記ユーザ管理データベースに記憶された設定で撮影を行うことを特徴とする請求項１０乃至１２のうち何れか一つに記載のカメラ。
【請求項１４】
上記ユーザ管理データベースは、上記ユーザを認証する為の認証情報及び上記ユーザの優先度を示す優先度情報を記憶しており、
上記認証部は、上記認証情報に基づいて上記ユーザを認証し、
上記優先度判定部は、上記ユーザ管理データベースに記憶された優先度情報に基づいて上記ユーザの優先度を判定することを特徴とする請求項１３に記載のカメラ。
【請求項１５】
上記ユーザによる当該カメラへの情報入力操作の為の入力操作部を含み、
上記ユーザによる上記入力操作部の操作で入力された入力情報を、上記ユーザ管理データベースに記憶することを特徴とする請求項１４に記載のカメラ。
【請求項１６】
上記認証情報及び上記優先度情報が記憶された認証カードを装着する為のインターフェイスと、
上記インターフェイスに装着された上記認証カードに記憶された上記認証情報及び上記優先度情報を読み出すカード情報読み出し部と、
を含み、
上記認証部は、上記カード情報読み出し部により読み出された上記認証情報に基づいてユーザを認証し、
上記優先度判定部は、上記カード情報読み出し部により読み出された上記優先度情報に基づいて上記ユーザの優先度を判定することを特徴とする請求項１５に記載のカメラ。
【請求項１７】
上記圧縮処理部は、当該時点におけるユーザの優先度と、圧縮対象のデータを上記記憶部に記憶したユーザの優先度と、に基づいて圧縮率を決定し、上記圧縮処理を行うことを特徴とする請求項１６に記載のカメラ。
【請求項１８】
上記認証情報が記憶されているデータベースを備え且つ上記認証情報に基づいて上記ユーザの認証及び上記優先度情報の検索を行う外部装置と無線により情報を送受信する通信部を含み、
上記通信部は、上記ユーザによる上記入力操作部の操作で入力された上記入力情報を上記外部装置に送信し、且つ上記外部装置から送信される上記ユーザの認証結果を示す情報及び上記優先度情報を受信することを特徴とする請求項１７に記載のカメラ。
【発明の詳細な説明】
【技術分野】
【０００１】
本発明は、情報取得装置及びカメラに関する。
【背景技術】
【０００２】
現在、例えば電子スチルカメラ、一眼レフカメラ、及びビデオカメラ等の撮像装置が、複数のユーザにより共有されて使用される場面は多い。
【０００３】
例えば、企業等における業務の遂行上、学校等における教育の現場、及び家庭内における家族間等において、一台の撮像装置が複数のユーザにより共有されて使用されることが多い。
【０００４】
このように一台の撮像装置が複数のユーザにより共有されて使用される場合、例えば外部メモリ等の記憶媒体に関しても共有して使用する場合が多く、この場合には或るユーザが当該記憶媒体の容量を大きく使用してしまうと、当該記憶媒体における他のユーザの使用可能領域が不足してしまうという問題が生じる。更には、使用するユーザが変わる毎に当該撮像装置の設定が変更されてしまう為、各々のユーザは、使用する度に設定をし直さなければならないという問題も存在する。
【０００５】
このような事情に鑑みて、例えば次のような技術が提案されている。
【０００６】
すなわち、例えば特許文献１には、複数のユーザが使用する情報記録再生装置において、パスワードを取得する第１の取得手段と、記録する情報を取得する第２の取得手段と、上記第１の取得手段により取得された上記パスワードと、上記第２の取得手段により取得された上記情報を関連付けて記憶メディアに記憶させる記憶手段と、上記第１の取得手段により取得された上記パスワードと、上記記憶手段により記憶された上記パスワードを比較し、その比較結果に基づいて、上記記憶メディアに記憶された情報の再生を制御する制御手段とを備えることを特徴とする情報記録再生装置が開示されている。
【０００７】
この特許文献１に開示された情報記録再生装置では、ユーザパスワードを用いてアクセス制限することによって、各々のユーザが各々撮影した画像のみを再生できるように構成している為、セキュリティを確保しつつ、複数のユーザが同一の記憶メディアを共用することができる。
【０００８】
また、例えば特許文献２には、入力装置から画像符号化ファイルを取得して、当該画像符号化ファイルを記憶媒体に記録する画像記録装置において、上記画像符号化ファイルの再圧縮方法を設定する再圧縮方法設定手段と、上記設定された再圧縮方法に基づいて、既に上記記憶媒体に記録されている画像符号化ファイルを再圧縮する再圧縮手段と、を備え、上記入力装置から取得される新たな画像符号化ファイルを上記記憶媒体に記録する前に、予め再圧縮方法を設定しておくことを特徴とする画像記録装置が開示されている。
【０００９】
この特許文献２に開示された画像記録装置では、容量不足になった場合に、予め設定しておいた再圧縮方法に基づいて、撮影済みの画像データの再圧縮を行って容量確保をする為、記憶媒体の残容量が不足した場合に、新たに入力された画像符号化ファイルを記録する為の容量を確保することができる。
【特許文献１】特開２００３−１７３２９６号公報
【特許文献２】特開２００５−１３６６７１号公報
【発明の開示】
【発明が解決しようとする課題】
【００１０】
ところで、例えば企業等における業務の遂行上、及び学校等における教育の現場等で撮像装置等の情報取得装置を複数のユーザで共有して使用する場合には、特定のユーザ（例えば、プロジェクトのリーダーや学校の先生）が、他の特定のユーザ（例えば、プロジェクトのメンバーや学校の生徒）のデータにアクセス可能とした方が好都合な場合も多い。
【００１１】
なお、特許文献１に開示された技術では、ユーザ毎にアクセス権を柔軟に設定することができない。
【００１２】
また、特定のユーザ（例えば、プロジェクトのリーダーや学校の先生）が他の特定のユーザ（例えば、プロジェクトのメンバーや学校の生徒）に優先して、記憶媒体を使用可能とした方が好都合な場合も多い。
【００１３】
なお、特許文献２に開示された技術では、ユーザの判別が不可能な為、容量不足時の容量確保についてユーザ毎に処理を変えることができない。
【００１４】
本発明は、上記の事情に鑑みて為されたもので、複数のユーザで情報取得装置を共有して使用する場合に、ユーザ毎のアクセス権を柔軟に設定でき且つ該アクセス権に対応して記憶媒体における記憶容量の使用権限を設定可能とし、より適切な記憶媒体の使用を可能とする情報取得装置及びカメラを提供することを目的とする。
【課題を解決するための手段】
【００１５】
上記の目的を達成するために、本発明の第１の態様による情報取得装置は、複数のユーザにより共有されて使用される情報取得装置であって、所定のデータを取得する情報取得部と、上記データを記憶する記憶部と、上記記憶部における記憶可能領域を検出する記憶可能領域検出部と、上記ユーザを認証する認証部と、上記認証部により認証したユーザの優先度を判定する優先度判定部と、上記記憶可能領域検出部により検出された上記記憶部の空き容量が所定値より小さくなった場合、上記記憶部を検索して、当該時点におけるユーザよりも優先度の低いユーザにより記憶されたデータを検出する低優先度データ検索部と、上記低優先度データ検索部により検出されたデータのうち少なくとも１つのデータを処理して上記記憶部に所定の記憶可能領域を設けるデータ処理部と、を具備することを特徴とする。
【００１６】
上記の目的を達成するために、本発明の第２の態様によるカメラは、複数のユーザにより共有されて使用されるカメラであって、被写体を撮影して画像データに変換する撮影部と、上記撮影部による撮影で取得した画像データを圧縮処理する圧縮処理部と、上記圧縮処理部により圧縮処理された画像データを記憶する記憶部と、上記記憶部における記憶可能領域を検出する記憶可能領域検出部と、上記ユーザを認証する認証部と、上記認証部により認証されたユーザの優先度を判定する優先度判定部と、上記記憶可能領域検出部により検出された上記記憶部の空き容量が所定値より小さくなった場合、上記記憶部を検索して、当該時点におけるユーザよりも優先度の低いユーザにより記憶された画像データを検出する低優先度データ検索部と、上記低優先度データ検索部により検出された画像データのうち少なくとも１つの画像データを処理して上記記憶部に所定の記憶可能領域を設けるデータ処理部と、を具備することを特徴とする。
【発明の効果】
【００１７】
本発明によれば、複数のユーザで情報取得装置を共有して使用する場合に、ユーザ毎のアクセス権を柔軟に設定でき且つ該アクセス権に対応して記憶媒体における記憶容量の使用権限を設定可能とし、より適切な記憶媒体の使用を可能とする情報取得装置及びカメラを提供することができる。
【発明を実施するための最良の形態】
【００１８】
以下、図面を参照して本発明の実施形態を説明する。
【００１９】
［第１実施形態］
図１は、本第１実施形態に係る撮像装置の外観概略図である。図１に示すように、本第１実施形態に係る撮像装置１００は、例えばＩＣ（Ｉｎｔｅｇｒａｔｅｄ  Ｃｉｒｃｕｉｔ）カードである個人識別カード（以降、ＩＤカードと称する）１１を挿入する為のカードスロットである外部インターフェイス（以降、外部Ｉ／Ｆと称する）１０と、レリーズボタン２１と、電源スイッチ２３と、を具備する。
【００２０】
図２は、本第１実施形態に係る撮像装置１００のシステム構成を示すブロック図である。図２に示すように、撮像装置１００は、ＣＰＵ１と、撮像部２と、撮像処理部３と、システムバス４と、圧縮回路部５と、記憶媒体部６と、データ管理部７と、ＲＡＭ８と、ＲＯＭ９と、外部Ｉ／Ｆ１０と、表示部１２と、操作入力部１３と、を具備する。なお、当該撮像装置１００においては、主として上記システムバス４を介してデータの授受が行われる。
【００２１】
上記ＣＰＵ１は、上記ＲＯＭ９に格納された制御プログラムを読み出し実行することにより、当該撮像装置１００各部の動作を統括的に制御する。なお、上記ＲＯＭ９に格納されたプログラムは、後述するユーザの優先度判定等の為のモジュールも含む。
【００２２】
上記撮像部２は、被写体を撮影して電気信号に変換して上記システムバス４に出力する。上記撮像処理部３は、上記撮像部２から出力された電気信号をデジタル信号に変換し、更に画像処理を施してデジタル画像信号を生成して上記システムバス４に出力する。
【００２３】
上記圧縮回路部５は、上記撮像処理部３から出力されたデジタル画像信号を受信し、例えばＪＰＥＧ等の公知の技術により圧縮処理を施して圧縮画像データを生成し、これを画像ファイルとして上記システムバス４に出力する。
【００２４】
上記記憶媒体部６は、上記圧縮回路部５から出力された上記画像ファイル等を記憶する記憶媒体である。この記憶媒体部６は、当該撮像装置１００に内蔵の記憶媒体であってもよいし、例えばメモリーカードのように当該撮像装置１００に着脱可能な外部外付け記憶媒体であってもよい。
【００２５】
上記データ管理部７は、後述するユーザの優先度、及び各種設定情報等を記憶するユーザ管理データベース（以降、ユーザ管理ＤＢと称する）と、撮影により取得した画像ファイルに関する情報を記憶する画像管理データベース（以降、画像管理ＤＢと称する）を有する。つまり、これらのデータベースは、当該撮像装置１００のユーザ管理及びデータ管理の為のデータベースである。上記ＲＡＭ８は、各種データを一時的に格納する為の記憶部である。
【００２６】
上記外部Ｉ／Ｆ１０は、上記ＩＤカード１１を装着する為のインターフェイスであり、例えばカードスロットである。上記ＣＰＵ１は、この外部Ｉ／Ｆ１０を介して、上記ＩＤカード１１に記憶された情報を読み込む制御や、上記ＩＤカードに情報を書き込む制御を行う。
【００２７】
なお、上記ＩＤカード１１には、ユーザＩＤ、優先度情報、及び各種設定情報（何れも詳細は後述する）が格納されている。このＩＤカード１１から読み出された上記ユーザＩＤは、上記データ管理部７における上記ユーザ管理データベースと照合されて認証される（詳細は後述する）。
【００２８】
このようにしてユーザが認証されると、後述する当該ユーザの各種設定情報が上記ユーザ管理ＤＢから読み出され、当該撮像装置の設定が為される。また、上記優先度情報及び上記各種設定情報は、上記ユーザ管理ＤＢに読み込まれる。
【００２９】
上記表示部１２は、各種表示を行う表示部材である。上記操作入力部１３は、例えば操作ボタン及び操作ダイヤル等の操作を検出して、該検出結果を上記ＣＰＵ１に出力する。
【００３０】
図３は、上記画像管理ＤＢの一例を示す図である。図３に示すように、上記画像管理ＤＢは、各々の画像ファイルについて、“画像ＩＤ”、“日付”、“時間”、“形式”、“画質”、“ファイルサイズ”、“ファイル名”、及び“オーナーＩＤ”に関する情報から成るデータベースである。なお、各項目の詳細については、後述する。
【００３１】
図４は、上記ユーザ管理ＤＢの一例を示す図である。図４に示すように、上記ユーザ管理ＤＢは、各々のユーザについて、“ユーザＩＤ”、“優先度”、“露出モード”、“ＦＯＣＵＳモード”、“露出補正”、及び“フォルダ名”に関する情報から成るデータベースである。なお、各項目の詳細については、後述する。
【００３２】
図５は、本第１実施形態に係る撮像装置の上記ＣＰＵ１による処理のメインフローチャートを示す図である。
【００３３】
まず、ユーザにより上記電源スイッチ２３がＯＮされると、当該撮像装置１００各部の初期化を行う（ステップＳ１）。
【００３４】
続いて、“ユーザチェック”処理を行なう（ステップＳ２）。なお、このステップＳ２における“ユーザチェック”処理については、図６に示すサブルーチンを参照して後に詳述する。
【００３５】
上記ステップＳ２における処理を終えると、ユーザにより上記レリーズボタン２１が押下操作されたか否かを判定する（ステップＳ３）。このステップＳ３をＮＯに分岐する場合は、後述するステップＳ７へ移行する。
【００３６】
一方、上記ステップＳ３をＹＥＳに分岐する場合、上記撮像部２によって撮影を行う（ステップＳ４）。そして、このステップＳ４における撮影により取得した画像を、上記圧縮回路部５によって圧縮して画像ファイルを生成する（ステップＳ５）。さらに、このステップＳ５において生成した上記画像ファイルを、上記記憶媒体部６に記憶する（ステップＳ６）。なお、このステップＳ６における処理については、図７に示すサブルーチンのフローチャートを参照して後に詳述する。
【００３７】
上記ステップＳ６における処理を終えた後、上記外部Ｉ／Ｆ１０に上記ＩＤカード１１が挿入されているか否かを判定する（ステップＳ７）。このステップＳ７をＹＥＳに分岐する場合は、挿入直前に使用していたユーザのデータベースのデータを更新する（ステップＳ８）。その後、上記ステップＳ２へ移行する。
【００３８】
一方、上記ステップＳ７をＮＯに分岐する場合、ユーザにより上記電源スイッチ２３がＯＦＦされたか否かを判定する（ステップＳ９）。このステップＳ９をＮＯに分岐する場合は、上記ステップＳ３へ移行する。また、このステップＳ９をＹＥＳに分岐する場合は、当該撮像装置１００の電源をＯＦＦとし（ステップＳ１０）、処理を終了する。
【００３９】
以下、図６に示すフローチャートを参照して、上記ステップＳ２における“ユーザチェック”処理を説明する。
【００４０】
まず、上記ＩＤカード１１が上記外部Ｉ／Ｆ１０に挿入されたか否かを判定する（ステップＳ２１）。このステップＳ２１をＮＯに分岐する場合は、ユーザ設定として“Ａｌｌ  Ｕｓｅｒ”を設定する（ステップＳ２２）。ここで、“Ａｌｌ  Ｕｓｅｒ”設定とは、特定のユーザを対象としていない汎用設定であり、後述する優先度については最も低い優先度の設定である。なお、上記ステップＳ２２における処理を終えると、後述するステップＳ２６へ移行する。
【００４１】
一方、上記ステップＳ２１をＹＥＳに分岐する場合は、当該ＩＤカード１１からユーザＩＤ及び優先度情報を読み出す（ステップＳ２３）。続いて、このステップＳ２３において読み出したユーザＩＤに基づいて、当該ユーザＩＤが上記ユーザ管理ＤＢに既に登録されているかユーザＩＤであるか否かを判定する（ステップＳ２４）。
【００４２】
このステップＳ２４をＹＥＳに分岐する場合は、優先度について、上記ステップＳ２３で読み出した優先度情報に基づいて更新処理を行う（ステップＳ２５）。そして、上記記憶媒体部６内に、当該ユーザＩＤに対応する“ユーザファイルフォルダ（各々のユーザに対応したフォルダ）”が存在するか否かを判定する（ステップＳ２６）。このステップＳ２６をＮＯに分岐する場合は、当該ユーザＩＤに対応するユーザファイルフォルダを上記記憶媒体部６内に作成する（ステップＳ２７）。
【００４３】
ところで、上記ステップＳ２４をＮＯに分岐する場合は、上記ステップＳ２３において読み出したユーザＩＤに対応するデータベースを、上記ユーザ管理ＤＢに追加作成する（ステップＳ２８）。そして、当該ユーザＩＤに関して優先度を設定する（ステップＳ２９）。その後、上記ステップＳ２７に移行する。
【００４４】
上記ステップＳ２６をＹＥＳに分岐する場合、又は上記ステップＳ２７における処理を終えた後は、“Ｂｏｄｙユーザ設定処理”を行い（ステップＳ３０）、図５に示すフローチャートの処理へ戻る。このステップＳ３０における“Ｂｏｄｙユーザ設定処理”とは、ユーザ管理ＤＢに登録された当該ユーザＩＤに対応する各種ユーザ設定に関する情報（図４参照）を読み出し、これらに基づいて当該撮像装置１００の設定を行う処理である。
【００４５】
以下、図７に示すフローチャートを参照して、上記ステップＳ２におけるデータ保存の処理を説明する。
【００４６】
まず、上記記憶媒体部６内に、新たにデータを記憶させる為の空き容量があるか否かを判定する（ステップＳ３１）。このステップＳ３１をＹＥＳに分岐する場合は、後述するステップＳ３５に移行する。
【００４７】
一方、上記ステップＳ３１をＮＯに分岐する場合、当該ユーザＩＤに対応する優先度よりも低い優先度のユーザＩＤで使用時に取得した画像ファイルが、上記記憶媒体部６に記憶されているか否かを判定する（ステップＳ３２）。このステップＳ３２をＮＯに分岐する場合、上記表示部１２に“当該画像ファイルを保存することは不可能である”旨の表示を行い（ステップＳ３３）、当該画像ファイルを記憶する処理を行わずに、図５に示すフローチャートの処理へ戻る。
【００４８】
上記ステップＳ３２をＹＥＳに分岐する場合、上記ステップＳ３２で検出した上記“当該ユーザＩＤに対応する優先度よりも低い優先度のユーザＩＤで使用時に取得した画像ファイル”を編集処理し（ステップＳ３４）、上記記憶媒体部６における空容量を確保する。このステップＳ３４における編集処理とは、上記記憶媒体部６における空容量を確保する為の処理であり、例えばリサイズにより当該画像ファイルのデータ量を縮減する処理や当該画像ファイルを削除する処理を挙げることができる。
【００４９】
上記ステップＳ３４における処理で上記記憶媒体部６における空容量を確保した後、当該撮影により取得した画像ファイルを、上記記憶媒体部６に記憶させて保存する（ステップＳ３５）。そして、図５に示すフローチャートの処理へ戻る。
【００５０】
なお、上記記憶媒体部６における空容量を確保する方法として、再圧縮処理を用いることもできる。以下、再圧縮処理により空容量を確保する場合の処理を図８に示すフローチャートを参照して説明する。図８に示すフローチャートに示すステップのうち、図７におけるステップ番号と同じステップ番号を付したステップは、そのステップと同様の処理を行うステップである。
【００５１】
まず、上記記憶媒体部６内に、新たにデータを記憶させる為の空き容量があるか否かを判定する（ステップＳ３１）。このステップＳ３１をＹＥＳに分岐する場合は、ステップＳ３５に移行する。
【００５２】
一方、上記ステップＳ３１をＮＯに分岐する場合、当該ユーザＩＤに対応する優先度よりも低い優先度のユーザＩＤで使用時に取得した画像ファイルが、上記記憶媒体部６に記憶されているか否かを判定する（ステップＳ３２）。このステップＳ３２をＮＯに分岐する場合、上記表示部１２に“当該画像ファイルを保存することは不可能である”旨の表示を行い（ステップＳ３３）、当該画像ファイルを記憶する処理を行わずに、図５に示すフローチャートの処理へ戻る。
【００５３】
上記ステップＳ３２をＹＥＳに分岐する場合、図９に示すデータ圧縮率テーブルを参照し、該データ圧縮率テーブルに規定された圧縮率よりも低い圧縮率で圧縮されている画像ファイルが存在するか否かを検索する（ステップＳ４３）。
【００５４】
ここで図９に示すデータ圧縮率テーブルは、画像ファイルを圧縮する際の圧縮率を規定するテーブルの一例であり、優先度と圧縮率との対応付け情報から成るテーブルの一例である。図９に示す例では、優先度が“中”のユーザにより記憶された画像ファイルは、圧縮率を“１／５”として再圧縮処理を施し、優先度が“低”のユーザにより記憶された画像ファイルは、圧縮率を“１／１０”として再圧縮処理を施すことを示している。
【００５５】
なお、図９に示すデータ圧縮率テーブルはあくまでも一例であり、優先度と圧縮率との対応関係を任意に定めてよいことは勿論である。また、優先度も“中”及び“低”のみではなく、より細かく設定しても勿論よい。
【００５６】
続いて、上記ステップＳ４３における検索結果に基づいて、上記データ圧縮率テーブルに規定された圧縮率よりも低い圧縮率で圧縮されている画像ファイルが存在するか否かを判定する（ステップＳ４４）。このステップＳ４４をＮＯに分岐する場合は、上記ステップＳ３３へ移行した後、図５に示すフローチャートの処理へ戻る。
【００５７】
上記ステップＳ４４をＹＥＳに分岐する場合は、上記ステップＳ４４で検出した画像ファイルを、上記データ圧縮率テーブルに基づいて再圧縮処理し（ステップＳ４５）、上記記憶媒体部６における空き領域を確保する。
【００５８】
なお、圧縮形式としては、例えばＪＰＥＧ形式を挙げることができるが、これに限られないことは勿論である。また、圧縮処理を施されていない画像ファイルに関しては、再圧縮処理の対象としないとする。
【００５９】
そして、上記ステップＳ４４における処理で上記記憶媒体部６における空容量を確保した後、当該撮影により取得した画像ファイルを、上記記憶媒体部６に記憶させて保存する（ステップＳ３５）。そして、図５に示すフローチャートの処理へ戻る。
【００６０】
以下、上記ユーザ管理ＤＢにユーザ登録を行う処理（以降、ユーザ登録処理と称する）を、図１０に示すフローチャートを参照して説明する。図１１（ａ）は、ユーザ登録処理時における上記表示部１２の表示の一例を示す図である。図１１（ｂ）は、ユーザ登録処理時にユーザが用いる上記操作入力部１３の一例を示す図である。
【００６１】
本第１実施形態においては、ユーザ登録処理（上記ステップＳ２８及び上記ステップＳ２９に相当する処理）は、ユーザが上記外部Ｉ／Ｆ１０に上記ＩＤカード１１を新規挿入した時点で行う処理である。また、上述したように本第１実施形態においては上記ＩＤカード１１の挿入によってユーザ判別を行う為、ユーザ操作によるユーザ認証は基本的に行わない。
【００６２】
新規ユーザのＩＤカード１１が上記外部Ｉ／Ｆ１０に挿入されたことを検出すると、上記ＣＰＵ１は、図１１（ａ）に示すように、ユーザ登録処理時の上記表示部１２に登録確認画面として、登録処理実行メッセージ１２Ａと、ＹＥＳ，ＮＯボタン１２Ｂと、操作案内表示１２Ｃと、を表示させる。同図において、斜線のハッチングで示されているボタン（ＹＥＳボタン）１２Ｂは、当該時点において選択されているボタンである。
【００６３】
ユーザは、この表示を参照して、図１１（ｂ）に示すような操作ボタン１３Ａを操作して、次のような処理を実行する。
【００６４】
ここで、上記操作ボタン１３Ａは、上ボタン１３ａと、右ボタン１３ｂと、下ボタン１３ｃと、左ボタン１３ｄと、ＯＫボタン１３ｅと、を有する。ユーザにより上記上ボタン１３ａが押下操作されると、上記表示部１２に表示されたカーソルの位置において英数字が表示され、この英数字は上記上ボタン１３ａが押下操作される毎にＡＢＣ順に変化して表示される。そして、このようにして入力された文字列は、上記ＯＫボタン１３ｅが押下操作されることで確定され、上記カーソルは次の位置に移動する。
【００６５】
まず、ユーザは、上記操作入力部１３における上記操作ボタン１３Ａを操作することにより、上記データ管理部７にユーザＩＤを登録する（ステップＳ５０）。続いて、ユーザは、上記ステップＳ５０において登録したユーザＩＤに対応するユーザパスワードを、上記データ管理部７に登録する（ステップＳ５１）。そして、ユーザは、当該ユーザの優先度（上記ステップＳ５０において登録したユーザＩＤに対応する優先度）を登録し（ステップＳ５２）、当該ユーザ登録処理を終了する。
【００６６】
なお、本第１実施形態に係る撮像装置を実際に使用する際には、ユーザは例えば図１２に示すように、上記表示部１２に表示される設定画面を参照して、上記操作ボタン１３Ａを操作することで各種設定を行う。
【００６７】
図１２に示す例では、上記ＣＰＵ１は、上記表示部１２に設定画面として、設定項目表示１２Ｄと、設定内容表示１２Ｅと、操作案内表示１２Ｃと、を表示させる。同図において、斜線のハッチングで示されている表示は、当該時点において設定中の設定項目表示１２Ｄ及び設定内容表示１２Ｅである。ユーザは、このような表示の設定画面を参照して上記操作ボタン１３Ａを操作することで、所望の設定を行う。
【００６８】
以下、本第１実施形態に係る撮像装置における上記ユーザ管理ＤＢのデータ更新タイミングを、図１３乃至図２０を参照して説明する。図１３乃至図２０は、それぞれユーザ管理ＤＢの更新タイミングの一例を示す図である。
【００６９】
（電源ＯＮ時を更新タイミングとする場合）
例えばユーザ設定が為されていない状態で、当該撮像装置１００の電源がＯＮされると、上述したように汎用ユーザとして“Ａｌｌ  Ｕｓｅｒ”を設定する。更に、汎用ユーザの為のデータベースとして、上記データ管理部７における上記ユーザ管理ＤＢに、Ａｌｌ  Ｕｓｅｒデータベースを追加し（上記ステップＳ２８参照）、これに対応するフォルダとして上記記憶媒体部６に“Ａｌｌ  Ｕｓｅｒ”フォルダを作成する（上記ステップＳ２７参照）。
【００７０】
つまり図１３に示すように、当該撮像装置１００の設定として、上記データ管理部７における上記ユーザ管理ＤＢから、上記ＲＡＭ８に読み込むデータベースとして、上記Ａｌｌ  Ｕｓｅｒデータベースを選択する。
【００７１】
（電源ＯＦＦ時を更新タイミングとする場合）
例えば汎用ユーザとして“Ａｌｌ  Ｕｓｅｒ”の設定のまま電源がＯＦＦされると、図１４に示すように、上記“Ａｌｌ  Ｕｓｅｒ”データベースを、当該電源ＯＦＦ時におけるデータベースに更新する（上記データ管理部７における上記ユーザ管理ＤＢの“Ａｌｌ  Ｕｓｅｒ”データベースを、当該電源ＯＦＦ時に上記ＲＡＭ８に格納されているデータに更新する）。
【００７２】
（ユーザＡによる初めての使用時を更新タイミングとする場合）
例えばユーザＡが初めて使用する場合、上記データ管理部７における上記ユーザ管理ＤＢに“ユーザＡ”データベースを追加し（上記ステップＳ２８参照）、上記記憶媒体部６に“ユーザＡ”フォルダを作成する（上記ステップＳ２７参照）。
【００７３】
つまり、図１５に示すように、当該撮像装置１００が“Ａｌｌ  Ｕｓｅｒ”の設定で使用されていた場合であって、その後所定のユーザによって初めて使用される場合、当該ユーザの切り替え時に、切り替え前のユーザのデータベースを、当該ユーザの切り替え時点に上記ＲＡＭ８に格納されているデータに更新し、且つ切り替え後のユーザのデータベースを上記ＲＡＭ８に読み込む。
【００７４】
（ユーザＡの設定での電源ＯＦＦ時を更新タイミングとする場合）
例えば“ユーザＡ”の設定のまま電源ＯＦＦされると、図１６に示すように、上記“ユーザＡ”データベースを、当該電源ＯＦＦ時における上記ＲＡＭ８に格納されているデータに更新する。
【００７５】
（ユーザＡの設定のまま電源ＯＮされる時を更新タイミングとする場合）
電源ＯＮ時に、電源ＯＦＦ時における“ユーザＡ”の設定が、図１７に示すように上記ユーザ管理データベースから、上記ＲＡＭ８に読み込まれる。
【００７６】
（ユーザＡからユーザＢへの切り替え時を更新タイミングとする場合）
例えばユーザＡの設定で使用中に、初めてユーザＢの設定で使用する場合、図１８に示すように上記ユーザ管理ＤＢにおける“ユーザＡ”データベースを、上記ＲＡＭ８に格納されているデータに更新する。このとき、上記データ管理部７における上記ユーザ管理ＤＢに“ユーザＢ”データベースを追加し、且つ上記記憶媒体部６に“ユーザＢ”フォルダを作成する。そして、上記ＲＡＭ８には、当該撮像装置１００に設定するデータベースとして“ユーザＢ”データベースを読み込む。
【００７７】
（ユーザＢの設定からユーザＡの設定への切り替え時を更新タイミングとする場合）
例えばユーザＢの設定状態から改めてユーザＡが使用する場合、図１９に示すように“ユーザＢ”データベースを、上記ＲＡＭ８に格納されているデータに更新し、且つ当該撮像装置１００に設定するデータベースとして“ユーザＡ”データベースを上記ＲＡＭ８に読み込む。
【００７８】
（電源ＯＦＦを更新タイミングとする場合）
例えば“ユーザ”の設定状態で使用時に電源ＯＦＦされた場合、図２０に示すように“ユーザＡ”データベースを、当該電源ＯＦＦ時に上記ＲＡＭ８に格納されているデータに更新する。
【００７９】
以上説明したように、本第１実施形態に係る撮像装置によれば、複数のユーザで情報取得装置を共有して使用する場合に、ユーザ毎のアクセス権を柔軟に設定でき且つ該アクセス権に対応して記憶媒体における記憶容量の使用権限を設定可能とし、より適切な記憶媒体の使用を可能とする情報取得装置及びカメラを提供することができる。
【００８０】
具体的には、本第１実施形態においては各々のユーザに上記優先度を設定する。これにより、上記記憶媒体部６における記憶可能領域が不足している場合であっても、より低い優先度のユーザによって記憶されたデータが上記記憶媒体部６に記憶されていれば、そのデータの再圧縮処理を自動的に行う。このようにして、上記記憶媒体部６における記憶可能領域を作り出し、より高い優先度のユーザが、上記記憶媒体部６に所望のデータを記憶することを可能とする。
【００８１】
なお、各々のユーザに優先度を設定することによって、優先度の高いユーザが、優先度の低いユーザのフォルダ内のデータを閲覧・更新等することができるように構成しても勿論よい。
【００８２】
［第２実施形態］
以下、本発明の第２実施形態に係る撮像装置について説明する。なお、説明の便宜上、上記第１実施形態に係る撮像装置と重複する説明は省略する。
【００８３】
図２１は、本発明の第２実施形態に係る撮像装置のシステム構成を示すブロック図である。図２１に示すように、撮像装置１００は、ＣＰＵ１と、撮像部２と、撮像処理部３と、システムバス４と、圧縮回路部５と、記憶媒体部６と、データ管理部７と、ＲＡＭ８と、ＲＯＭ９と、表示部１２と、操作入力部１３と、認証部３１と、を具備する。
【００８４】
上記認証部３１は、本第２実施形態に係る撮像装置に特有の部材であり、後述するユーザ認証を行う為の部材である。
【００８５】
図２２は、本第２実施形態に係る撮像装置の上記ＣＰＵ１による処理のフローチャートを示す図である。なお、図５に示すフローチャートと同様の処理を行うステップに関しては、同様のステップ番号を付す。
【００８６】
まず、ユーザにより上記電源スイッチ２３がＯＮされると、当該撮像装置１００各部の初期化を行う（ステップＳ１）。
【００８７】
続いて、“ユーザチェック”処理（図２３に示すサブルーチンを参照して詳述）を行なう（ステップＳ２Ａ）。このステップＳ２Ａにおける“ユーザチェック”処理については、図２３に示すサブルーチンを参照して後に詳述する。
【００８８】
上記ステップＳ２Ａにおける処理の後、ユーザにより上記レリーズボタン２１が押下操作されたか否かを判定する（ステップＳ３）。このステップＳ３をＮＯに分岐する場合は、後述するステップＳ９へ移行する。
【００８９】
一方、上記ステップＳ３をＹＥＳに分岐する場合、上記撮像部２によって撮影を行う（ステップＳ４）。そして、このステップＳ４における撮影により取得した画像を、上記圧縮回路部５によって圧縮して画像ファイルを生成する（ステップＳ５）。このステップＳ５において生成した上記画像ファイルを、上記記憶媒体部６に記憶する（ステップＳ６）。なお、このステップＳ６における詳細な処理については、図７に示すサブルーチンのフローチャートを参照して説明した通りである。
【００９０】
上記ステップＳ６における処理を終えた後、ユーザにより上記電源スイッチ２３がＯＦＦされたか否かを判定する（ステップＳ９）。このステップＳ９をＮＯに分岐する場合は、上記ステップＳ３へ移行する。また、このステップＳ９をＹＥＳに分岐する場合は、当該撮像装置１００の電源をＯＦＦとし（ステップＳ１０）、処理を終了する。
【００９１】
以下、図２３に示すフローチャートを参照して、上記ステップＳ２Ａにおける“ユーザチェック”処理を説明する。なお、図６に示すフローチャートと同様の処理を行うステップに関しては、同様のステップ番号を付す。
【００９２】
まず、上記認証部３１によりユーザ認証を行う（ステップＳ６１）。すなわち、図２４（ａ）に示すように、ＣＰＵ１は上記表示部１２に、例えばユーザＩＤ入力部１２Ｆと、ユーザ認証用パスワード入力部１２Ｇと、操作案内表示１２Ｃとから成るユーザ認証画面を表示させる。そして、このユーザ認証画面を参照しながら、ユーザは図２４（ｂ）に示す上記操作ボタン１３Ａを操作することで、ユーザ認証を行う。つまり、ユーザは、上記操作ボタン１３Ａを操作することで、上記ユーザＩＤ入力部１２ＦにユーザＩＤを入力し、上記ユーザ認証用パスワード入力部１２Ｇにパスワードを入力する。
【００９３】
上記ステップＳ６１におけるユーザ認証処理を終えると、当該ユーザ認証処理結果に基づいて、当該ユーザ認証が成功したか否かを判定する（ステップＳ６２）。このステップＳ６２をＹＥＳに分岐する場合、当該ユーザ認証に係るユーザＩＤのデータベースが存在するか否かを判定する（ステップＳ６４）。
【００９４】
このステップＳ６４をＮＯに分岐する場合、上記ステップＳ６１において認証したユーザＩＤに対応するデータベースを、上記ユーザ管理ＤＢに追加作成する（ステップＳ２８）。さらに、当該ユーザＩＤに対応する“ユーザファイルフォルダ（各々のユーザに対応したフォルダ）”を上記記憶媒体部６内に作成する（ステップＳ２７）。
【００９５】
一方、上記ステップＳ６４をＹＥＳに分岐する場合、上記記憶媒体部６内に、当該ユーザＩＤに対応するユーザファイルフォルダが存在するか否かを判定する（ステップＳ２６）。
【００９６】
上記ステップＳ２６における処理、又は上記ステップＳ２７における処理を終えると、“Ｂｏｄｙユーザ設定処理”を行い（ステップＳ３０）、図２２に示すフローチャートの処理へ戻る。このステップＳ３０における“Ｂｏｄｙユーザ設定処理”とは、第１実施形態と同様ユーザ管理ＤＢに登録された当該ユーザＩＤに対応する各種ユーザ設定に関する情報（図４参照）を読み出し、これらに基づいて当該撮像装置１００の設定を行う処理である。
【００９７】
ところで、上記ステップＳ６２をＮＯに分岐する場合、ユーザ認証が失敗した旨の表示を上記表示部１２に表示し（ステップＳ６６）、ユーザ設定として“Ａｌｌ  Ｕｓｅｒ”を設定し（ステップＳ２２）、図２２に示すフローチャートの処理へ戻る。
【００９８】
以下、図２５及び図２６を参照して本第２実施形態におけるユーザ登録方法の一例を説明する。図２５はユーザ登録画面の一例を示す図であり、図２６はユーザＩＤ／パスワード登録画面の一例を示す図である。
【００９９】
図２５に示す例では、上記ＣＰＵ１は、上記表示部１２にユーザ登録画面として、登録項目表示１２Ｊと、登録内容表示１２Ｋと、操作案内表示１２Ｃと、を表示させる。同図において、斜線のハッチングで示された表示は、当該時点において登録中の登録項目表示１２Ｊ及び登録内容表示１２Ｋである。なお、この図２５に示す例は優先度の設定を行う際のユーザ登録画面の一例を示している。ユーザは、このような表示の設定画面を参照して上記操作ボタン１３Ａを操作することで、所望の設定を行う。
【０１００】
図２６に示す例では、上記ＣＰＵ１は、上記表示部１２にユーザＩＤ／パスワード登録画面として、ユーザＩＤ入力部１２Ｆと、ユーザ認証用パスワード入力部１２Ｇと、確認用パスワード再入力部１２Ｌと、操作案内表示１２Ｃと、を表示させる。そして、このユーザＩＤ／パスワード登録画面を参照しながら、ユーザは上記操作ボタン１３Ａを操作することで、ユーザＩＤ／パスワード登録を行う。
【０１０１】
なお、ユーザ登録時にユーザが優先度を任意に設定できるとしてもよいし、予め当該撮像装置１００にソフトウェア的に優先度が設定されているとしてもよい。
【０１０２】
以上説明したように、本第２実施形態によれば、上記第１実施形態に係る情報取得装置及びカメラと同様の効果を奏する情報取得装置及びカメラを提供することができる。
【０１０３】
［第３実施形態］
以下、本発明の第３実施形態に係る撮像装置について説明する。なお、説明の便宜上、上記第１実施形態又は上記第２実施形態に係る撮像装置と重複する説明は省略する。
【０１０４】
図２７は、本発明の第３実施形態に係る撮像装置のシステム構成を示すブロック図である。図２７に示すように、撮像装置１００は、ＣＰＵ１と、撮像部２と、撮像処理部３と、システムバス４と、圧縮回路部５と、記憶媒体部６と、データ管理部７と、ＲＡＭ８と、ＲＯＭ９と、表示部１２と、操作入力部１３と、送受信信号処理部４１と、ＲＦ（Ｒａｄｉｏ  Ｆｒｅｑｕｅｎｃｙ）部４３と、を具備する。
【０１０５】
上記送受信信号処理部４１及び上記ＲＦ部４３は、本第３実施形態に係る撮像装置に特有の部材であり、外部装置である認証サーバ４５との通信を行う為の部材である。より詳細には、上記送受信信号処理部４１は、上記認証サーバ４５とのデータ送受信の為の処理を行う。
【０１０６】
上記ＲＦ部４３は、上記認証サーバ４５との間で、ユーザ認証情報（例えばユーザＩＤ等のユーザ認証に係る情報）の送信、及びユーザ認証結果及び優先度情報の受信を行う。なお、上記認証サーバ４５では、上記ＲＦ部４３から送信されたユーザ認証情報に基づいてユーザ認証処理を行い、且つこの処理結果及び当該ユーザＩＤに対応する優先度情報を、上記ＲＦ部４３へ返信する。
【０１０７】
本第３実施形態においては、ユーザ認証は上記認証サーバ４５にて行い、ユーザ毎の優先度に関する情報も上記認証サーバ４５に持たせる構成とする。なお、認証方法としては、例えばＩＤ認証、パスワード認証、及び指紋認証等を挙げることができる。
【０１０８】
上記認証サーバ４５でユーザ認証を行う構成とすることで、当該サーバ側でユーザの優先度を随時変更することが可能となり、且つ該変更をリアルタイムで撮像装置１００における設定に反映させることが可能となる。これにより、例えば企業内で当該撮像装置１００が使用される場合であって、或るプロジェクトのメンバーがリーダーに昇格した場合には、この昇格に伴って、上記認証サーバ４５上において迅速に優先度の設定を変更することができる。
【０１０９】
上記第２実施形態に係る撮像装置と本第３実施形態に係る撮像装置との相違点の一つは、図２２に示すフローチャートにおけるステップＳ２Ａのサブルーチンである。すなわち、本第３実施形態においては、上記ステップＳ２Ａ（ユーザチェック処理）のサブルーチンは、当該撮像装置１００内の上記ＣＰＵ１による処理（図２８に示すフローチャート参照）と、上記認証サーバ４５における処理（図２９に示すフローチャート参照）とから成る。以下、詳細に説明する。
【０１１０】
まず、上記送受信信号処理部４１及び上記ＲＦ部４３によって、上記認証サーバ４５との接続を確立し、且つユーザ認証要求及びユーザ認証情報を上記認証サーバ４５に送信する（ステップＳ７１）。続いて、上記認証サーバ４５との接続が確立しているか否かを判定する（ステップＳ７２）。このステップＳ７２をＮＯに分岐する場合は、ユーザ設定として“Ａｌｌ  Ｕｓｅｒ”を設定し（ステップＳ２２）、図２２に示すフローチャートの処理へ戻る。
【０１１１】
一方、上記ステップＳ７２をＹＥＳに分岐する場合は、上記認証サーバ４５においてユーザ認証処理が成功したか否かを判定する（ステップＳ７３）。このステップＳ７３をＮＯに分岐する場合は、ユーザ認証に失敗した旨の表示を上記表示部１２に表示し（ステップＳ７４）、上記ステップＳ２２へ移行する。
【０１１２】
上記ステップＳ７３をＹＥＳに分岐する場合、上記認証サーバ４５から送信された当該ユーザＩＤに対応する優先度を、上記データ管理部７における上記ユーザ管理ＤＢに登録／更新する（ステップＳ７５）。
【０１１３】
続いて、当該ユーザＩＤに対応する情報を確認し（ステップＳ７６）、該確認結果に基づいて、当該ユーザＩＤに対応するデータベースを、上記ユーザ管理データベースから読み出して設定し（ステップＳ７７）、図５に示すフローチャートの処理へ戻る。
【０１１４】
以下、上記認証サーバ４５によるユーザチェック処理について、図２９に示すフローチャートを参照して説明する。なお、上記認証サーバ４５は、当該認証サーバ４５の各部を制御して後述する一連の処理を行う制御部（不図示）と、ユーザ認証処理に係る情報及びユーザＩＤに対応する優先度情報が格納されたデータベース（不図示）とを具備する。
【０１１５】
まず、上記撮像装置１００からの接続要求を受信したか否かを判定する（ステップＳ８１）。このステップＳ８１をＮＯに分岐する場合は、再び当該ステップＳ８１へ戻る。つまり、ステップＳ８１は、上記撮像装置１００からの接続要求を待つステップである。
【０１１６】
上記ステップＳ８１をＹＥＳに分岐する場合は、上記撮像装置１００との接続を確立する為の接続処理を行う（ステップＳ８２）。続いて、上記撮像装置１００からのユーザ認証処理要求を受信したか否かを判定する（ステップＳ８３）。このステップＳ８３をＮＯに分岐する場合は、再び当該ステップＳ８３へ戻る。つまり、ステップＳ８３は、上記撮像装置１００からの認証要求を待つステップである。
【０１１７】
上記ステップＳ８３をＹＥＳに分岐する場合は、上記撮像装置１００から送信された上記ユーザ認証情報に基づいてユーザ認証処理を行い（ステップＳ８４）、当該ユーザ認証処理が成功したか否かを判定する（ステップＳ８５）。このステップＳ８５をＮＯに分岐する場合は、当該ユーザ認証処理が失敗した旨の認証結果を上記撮像装置１００へ送信し（ステップＳ８６）、上記ステップＳ８１へ戻る。
【０１１８】
上記ステップＳ８５をＹＥＳに分岐する場合は、当該ユーザ認証処理の認証結果を上記撮像装置１００へ送信する（ステップＳ８７）。続いて、当該ユーザ認証処理に係るユーザＩＤに対応する優先度情報を検索する（ステップＳ８８）。そして、このステップＳ８８において検索した優先度情報を、上記撮像装置１００へ送信し（ステップＳ８９）、上記ステップＳ８１へ戻る。
【０１１９】
以上説明したように、本第３実施形態によれば、上記第１実施形態及び上記第２実施形態に係る撮像装置と同様の効果を奏する上に、優先度の変更をリアルタイムで撮像装置に反映させることが可能な情報取得装置及びカメラを提供することができる。
【０１２０】
以上、第１実施形態乃至第３実施形態に基づいて本発明を説明したが、本発明は上述した実施形態に限定されるものではなく、本発明の要旨の範囲内で、種々の変形及び応用が可能なことは勿論である。
【０１２１】
例えば、上記記憶媒体部６に記憶するデータは、静止画像の画像データに限られないことは勿論である。すなわち、上記記憶媒体部６に記憶するデータとして、静止画像の画像データの他にも、例えば動画像の画像データを挙げることができる。また、上述の各実施形態を音声情報取得装置に適用して、上記記憶媒体部６に音声データを記憶させても勿論よい。
【０１２２】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１２３】
【図１】本発明の第１実施形態に係る撮像装置の外観概略図。
【図２】本発明の第１実施形態に係る撮像装置のシステム構成を示すブロック図。
【図３】画像管理ＤＢの一例を示す図。
【図４】ユーザ管理ＤＢの一例を示す図。
【図５】本発明の第１実施形態に係る撮像装置のＣＰＵによる処理のフローチャートを示す図。
【図６】ユーザチェック処理のサブルーチンのフローチャートを示す図。
【図７】データ保存処理のサブルーチンのフローチャートを示す図。
【図８】再圧縮処理により空容量を確保する場合の処理のフローチャートを示す図。
【図９】データ圧縮率テーブルの一例を示す図。
【図１０】ユーザ登録処理のフローチャートを示す図。
【図１１】（ａ）は、ユーザ登録処理時における表示部の表示の一例を示す図。（ｂ）は、ユーザ登録処理時にユーザが用いる操作入力部の一例を示す図。
【図１２】設定画面の一例を示す図。
【図１３】ユーザ管理ＤＢの更新タイミングの一例を示す図。
【図１４】ユーザ管理ＤＢの更新タイミングの一例を示す図。
【図１５】ユーザ管理ＤＢの更新タイミングの一例を示す図。
【図１６】ユーザ管理ＤＢの更新タイミングの一例を示す図。
【図１７】ユーザ管理ＤＢの更新タイミングの一例を示す図。
【図１８】ユーザ管理ＤＢの更新タイミングの一例を示す図。
【図１９】ユーザ管理ＤＢの更新タイミングの一例を示す図。
【図２０】ユーザ管理ＤＢの更新タイミングの一例を示す図。
【図２１】本発明の第２実施形態に係る撮像装置のシステム構成を示すブロック図である。
【図２２】本発明の第２実施形態に係る撮像装置のＣＰＵによる処理のフローチャートを示す図。
【図２３】第２実施形態におけるユーザチェック処理のサブルーチンのフローチャートを示す図。
【図２４】ユーザ認証画面の一例を示す図。
【図２５】ユーザ登録画面の一例を示す図。
【図２６】ユーザＩＤ／パスワード登録画面の一例を示す図。
【図２７】本発明の第３実施形態に係る撮像装置のシステム構成を示すブロック図。
【図２８】本発明の第３実施形態におけるユーザチェック処理のうち撮像装置のＣＰＵによる処理のフローチャートを示す図。
【図２９】本発明の第３実施形態におけるユーザチェック処理のうち認証サーバによる処理のフローチャートを示す図。
【符号の説明】
【０１２４】
１…ＣＰＵ、  ２…撮像部、  ３…撮像処理部、  ４…システムバス、  ５…圧縮回路部、  ６…記憶媒体部、  ７…データ管理部、  ８…ＲＡＭ、  ９…ＲＯＭ、  １０…外部インターフェイス、  １１…ＩＤカード、  １２…表示部、  １２Ａ…登録処理実行メッセージ、  １２Ｂ…ＮＯボタン、  １２Ｃ…操作案内表示、  １２Ｄ…設定項目表示、  １２Ｅ…設定内容表示、  １２Ｆ…ＩＤ入力部、  １２Ｇ…ユーザ認証用パスワード入力部、  １２Ｊ…登録項目表示、  １２Ｋ…登録内容表示、  １２Ｌ…確認用パスワード再入力部、  １３…操作入力部、  １３Ａ…操作ボタン、  １３ａ…上ボタン、  １３ｂ…右ボタン、  １３ｃ…下ボタン、  １３ｄ…左ボタン、  １３ｅ…ＯＫボタン、  ２１…レリーズボタン、  ２３…電源スイッチ、  ３１…認証部、  ４１…送受信信号処理部、  ４３…ＲＦ部、  ４５…認証サーバ、  １００…撮像装置。
【図１】
2009177498.tif 000003
【図２】
2009177498.tif 000004
【図３】
2009177498.tif 000005
【図４】
2009177498.tif 000006
【図５】
2009177498.tif 000007
【図６】
2009177498.tif 000008
【図７】
2009177498.tif 000009
【図８】
2009177498.tif 000010
【図９】
2009177498.tif 000011
【図１０】
2009177498.tif 000012
【図１１】
2009177498.tif 000013
【図１２】
2009177498.tif 000014
【図１３】
2009177498.tif 000015
【図１４】
2009177498.tif 000016
【図１５】
2009177498.tif 000017
【図１６】
2009177498.tif 000018
【図１７】
2009177498.tif 000019
【図１８】
2009177498.tif 000020
【図１９】
2009177498.tif 000021
【図２０】
2009177498.tif 000022
【図２１】
2009177498.tif 000023
【図２２】
2009177498.tif 000024
【図２３】
2009177498.tif 000025
【図２４】
2009177498.tif 000026
【図２５】
2009177498.tif 000027
【図２６】
2009177498.tif 000028
【図２７】
2009177498.tif 000029
【図２８】
2009177498.tif 000030
【図２９】
2009177498.tif 000031